(57)【要約】【課題】  ユーザがそのコンテンツを本当に必要としているかどうかをリアルに反映して、コンテンツが記憶される記憶部を有効に活用することができ、利便性が向上された電子機器を提供する。【解決手段】  音楽データおよび動画データの少なくともいずれか一方を含む複数のコンテンツを記憶可能なコンテンツ記憶部１８に記憶されている前記コンテンツを読み出して再生可能なＣＰＵ１２と、各コンテンツに対応させて、そのコンテンツが部分的にＣＰＵ１２によって再生された回数を表す回数情報を記憶するコンテンツ情報部２６とを含み、ＣＰＵ１２は、コンテンツ情報部２６に記憶されている回数情報が表す回数が、予め定める回数を超えたコンテンツを削除する。【選択図】      図２
2009290376.tif 000002
【特許請求の範囲】
【請求項１】
音楽データおよび動画データの少なくともいずれか一方を含む複数のコンテンツを記憶可能なコンテンツ記憶部に記憶されている前記コンテンツを読み出して再生可能な再生手段と、
各コンテンツに対応させて、そのコンテンツが部分的に前記再生手段によって再生された回数を表す回数情報を記憶する回数記憶手段と、
前記回数記憶手段に記憶されている回数情報が表す回数が、予め定める回数を超えたコンテンツを削除可能な削除手段とを含むことを特徴とする電子機器。
【請求項２】
前記削除手段は、前記回数記憶手段に記憶されている回数情報が表す回数が、予め定める回数を超えたときに、前記回数情報が表す回数が予め定める回数を超えたコンテンツを削除することを特徴とする請求項１に記載の電子機器。
【請求項３】
前記削除手段は、
前記回数記憶手段に記憶されている回数情報が表す回数が、予め定める回数を超えたコンテンツに関する情報を表示する表示部と、
前記表示された情報に対応するコンテンツを選択する選択部とを備え、
前記選択部によって選択されたコンテンツを削除することを特徴とする請求項１に記載の電子機器。
【請求項４】
前記コンテンツは、再生を開始すべき位置を表す再生開始位置情報と、再生を終了すべき位置を表す再生終了位置情報とを含み、
前記回数記憶手段は、
前記部分再生情報が記憶される記憶部と、
前記再生開始位置情報および前記再生終了位置情報の少なくともいずれか一方に基づいて、コンテンツが部分的に再生されたか否かを判断し、コンテンツが部分的に再生されたと判断したときに、前記記憶部に記憶される前記回数情報を更新して記憶させる処理部とを含むことを特徴とする請求項１〜３のいずれか１つに記載の電子機器。
【請求項５】
前記再生手段が再生するコンテンツを切り換える切換指示を、前記再生手段に与える切換指示手段をさらに含み、
前記再生手段は、前記切換指示手段によって指示が与えられたときに、再生するコンテンツを切換え、
前記回数記憶手段は、
前記部分再生情報が記憶される記憶部と、
前記再生手段が再生しているコンテンツが他のコンテンツに切り換えられたとき、切り換えられる前のコンテンツに対応して前記記憶部に記憶される前記回数情報を更新して記憶させる処理部とを含むことを特徴とする請求項１〜３のいずれか１つに記載の電子機器。
【請求項６】
前記再生手段がコンテンツの再生しているときに、早送りおよび巻き戻しの少なくともいずれかを含むスキップ再生を行わせる指示を与えるスキップ再生指示手段をさらに含み、
前記再生手段は、前記スキップ再生指示手段によって指示が与えられたときに、コンテンツをスキップ再生し、
前記回数記憶手段は、
前記部分再生情報が記憶される記憶部と、
前記スキップ再生指示手段によって再生中のコンテンツがスキップ再生されることによって、コンテンツが部分的に再生されたと判断したときに、切り換えられる前のコンテンツに対応して前記記憶部に記憶される前記回数情報を更新して記憶させる処理部とを含むことを特徴とする請求項１〜３のいずれか１つに記載の電子機器。
【請求項７】
前記予め定める回数を設定可能な設定手段を備えることを特徴とする請求項１〜６のいずれか１つに記載の電子機器。
【発明の詳細な説明】
【技術分野】
【０００１】
本発明は、音楽データおよび動画データの少なくともいずれか一方を含むコンテンツの再生機能および削除機能を備える電子機器に関する。
【背景技術】
【０００２】
従来の技術として、蓄積部に記録済みの番組データの中から、不要番組抽出部によって特定の番組データまたは番組情報に関連する番組データの抽出を行い、不要分組み削除指令によって、特定の番組データおよび抽出した番組データを削除する番組データ処理装置がある（たとえば特許文献１参照）。
【０００３】
【特許文献１】特開２００６−３１９６９２号公報
【発明の開示】
【発明が解決しようとする課題】
【０００４】
従来の技術では、予め不要な番組データが不要番組抽出部によって抽出されるように、ユーザが、番組データに対しての保護設定、または、抽出条件となるキーワードの設定をしておくことが必要となっている。しかしながら、実際の番組データの使用上において、ユーザがその番組データを本当に必要としているか、その番組データが不要であるのかは、リアルに反映されていないので、番組データを記憶するメモリを有効に活用することができないという問題がある。
【０００５】
したがって本発明の目的は、ユーザがそのコンテンツを本当に必要としているかどうかをリアルに反映して、コンテンツが記憶される記憶部を有効に活用することができ、利便性が向上された電子機器を提供することである。
【課題を解決するための手段】
【０００６】
本発明は、音楽データおよび動画データの少なくともいずれか一方を含む複数のコンテンツを記憶可能なコンテンツ記憶部に記憶されている前記コンテンツを読み出して再生可能な再生手段と、
各コンテンツに対応させて、そのコンテンツが部分的に前記再生手段によって再生された回数を表す回数情報を記憶する回数記憶手段と、
前記回数記憶手段に記憶されている回数情報が表す回数が、予め定める回数を超えたコンテンツを削除可能な削除手段とを含むことを特徴とする電子機器である。
【発明の効果】
【０００７】
本発明によれば、回数記憶手段に記憶される回数情報は、各コンテンツに対応し、各コンテンツが部分的に再生手段によって再生された回数を表す。コンテンツが部分的にしか再生されないということは、そのコンテンツがユーザにとって必要とは言えないと考えられるので、回数情報は、ユーザがそのコンテンツを本当に必要としているかどうかをリアルに反映する指標となっている。削除手段は、回数情報が表す回数が、予め定める回数を超えると、この予め定める回数を超えたコンテンツを削除可能としている。これによって、従来の技術のような、コンテンツの保護設定、または抽出条件となるキーワードをユーザが予め条件を設定する手間を省き、該当コンテンツに対する実際の再生状況に基づいてコンテンツを削除可能であるので、ユーザが本当にそのコンテンツを必要としているかどうかをリアルに反映した上で、不要なコンテンツを削除することができ、限られた記憶容量のコンテンツ記憶部を有効に活用することができるとともに、利便性を向上させることができる。
【発明を実施するための最良の形態】
【０００８】
図１は、本発明の実施の一形態の電子機器１の正面図である。電子機器１は、音楽データおよび動画データの少なくともいずれか一方を含むコンテンツの再生機能および削除機能を備える。本実施の形態では、電子機器１は、無線通信による電話機能を備える折り畳み型の携帯電話装置であるが、携帯電話装置に限らず、携帯型または設置型のオーディオ装置およびテレビジョン装置などであってもよいので、ここでは、付加的な電話機能については説明を省略し、いずれの装置にも適用可能な部分について説明する。本実施の形態において、音楽データは、音声データを含んでいる。
【０００９】
電子機器１は、２つの筐体２，３がヒンジ部４によって折り畳み可能に連結されており、一方の筐体２に、予め定めるメッセージを表示したり、音楽および動画のコンテンツの名称を表すリストを表示したり、コンテンツを再生表示したりする表示部５が設けられ、他方の筐体３に、各種操作を行うためのキー群６が設けられている。表示部５は、たとえば液晶表示パネル、有機ＥＬ（Electro Luminescence）パネルによって実現される。以後、音楽データおよび動画データの少なくともいずれか一方を含むコンテンツを、音楽／動画コンテンツと記載する。
【００１０】
キー群６は、音楽／動画コンテンツを再生する時に用いられる再生キー、一時停止キーおよび停止キーと、送りキーおよび戻しキーと、早送りキーおよび巻き戻しキーとを含む再生操作用のキー群７と、数字およびアルファベットなどの文字情報の入力に用いられる文字入力キー群８と、確定キーおよびキャンセルキーとを含む。再生操作用のキー群７には、これらのキー群のいずれかと兼用され、コンテンツが再生されていないときには、表示部５の表示画面に表示されるカーソルを移動させたり、表示部５に表示されるアイコンの選択する指示を入力するための十字キーが含まれている。またここでは、再生操作用のキー群７と、文字入力キー群８と、確定キーおよびキャンセルキーとそれぞれ別体で設けているが、これらは兼用されてもよい。たとえば、コンテンツの再生モードを除く非再生モードでは、十字キー、確定キーおよびキャンセルキーとして機能する各キー群を、再生モードでは、再生操作用のキー群として機能させてもよい。
【００１１】
コンテンツを再生していない状態で、再生キーを操作すると、コンテンツの再生を開始させる再生開始指示を与えることができる。コンテンツは、たとえば表示部５の表示画面にコンテンツの名称を表すリストを表示させて、リストの名称の項目にカーソルを合わせた状態で、再生キーを操作することによって再生される。一時停止キーを操作すると、再生中のコンテンツを一時的に停止させる一時停止指示を与えることができる。再生中のコンテンツを一時的に停止させている状態で、再生キーを操作すると、停止している部分から再生を開始する指示を与えることができる。停止キーを操作すると、再生中のコンテンツを停止し、すなわち再生を中止する停止指示を与えることができる。
【００１２】
送りキーを操作すると、再生中のコンテンツの次に再生すべきコンテンツを再生させる送り切換指示を与えることができる。戻りキーを操作すると、再生中のコンテンツの前に再生すべきコンテンツを再生させる戻し切換指示を与えることができる。コンテンツには、予め定められる番号が付与されており、複数のコンテンツを連続的に再生する場合には、前記番号順にコンテンツが再生されることになる。前記表示部５の表示画面にコンテンツのリストを表示する場合には、前記番号順にコンテンツの名称が並べられて表示される。
【００１３】
早送りキーを操作すると、再生中のコンテンツを早送り再生させる早送り再生指示を与えることができる。巻き戻しキーを操作すると、再生中のコンテンツを巻き戻し再生させる巻き戻し再生指示を与えることができる。早送り再生中または巻き戻し再生中の状態で、再生キーを操作すると、操作した時点から再生を開始する指示を与えることができる。
【００１４】
たとえば非再生モードでは、表示部５には、再生モードを含むモード設定のための複数のアイコンが表示され、再生モードのアイコンを十字キーによって選択し、確定キーを操作することによって、再生モードに移行する。再生モードでは、再生プレイヤとして機能するためのアプリケーションプログラムが起動されて、コンテンツのリストが表示される。コンテンツのリストが表示されているときに、キャンセルキーが操作されると、非再生モードに移行し、表示部５には、再び複数のアイコンが表示される。本実施の形態の再生プレイヤでは、音楽データおよび動画データの両者の再生が可能であるものとするが、本発明の実施の他の形態では、音楽データおよび動画データのうちの少なくともいずれか一方が再生可能であればよい。
【００１５】
図２は、電子機器１の構成を示すブロック図である。電子機器１は、表示部５と、キー群６を含む入力部１１との他に、筐体２，３の内部に、中央演算処理装置（Central 
Processing Unit：略称ＣＰＵ）１２、ＲＯＭ（Read Only Memory）１３と、ＲＡＭ（
Random Access Memory）１４と、出力部１５と、入出力ポート１６と、表示制御部１７と、コンテンツ記憶部１８などが備えられている。また入力部１１は、キー群６の他に、マイクロフォン、外部記憶部が接続されるメモリ装着部などが含まれている。
【００１６】
ＣＰＵ１２は、処理部であり、ＲＯＭ１３に記憶されるプログラムを実行して、コンテンツ制御部２１、演算部２２およびデータ比較部２３として機能するとともに、ＲＡＭ１４と、入出力ポート１６と、表示制御部１７とを制御し、入出力などの動作演算処理を実行する。
【００１７】
キー群６から入力される各キーに対応する信号は、入出力ポート１６を介してＣＰＵ１２の演算部２２によって処理され、ＣＰＵ１２においてどのキーが操作されたのか判断されて、ＣＰＵ１２は、キーに対応する指令に応じた制御を行う。
【００１８】
ＲＯＭ１３は、電子機器１の種々の機能を実現するためのプログラムを記憶したプログラム部２４と、文字を表示するためのフォント、およびグラフィックなどのデータを記憶するデータ部２５を備える。プログラム部２４は、ＣＰＵ１２が再生プレイヤとして機能するためのアプリケーションプログラムも記憶されており、このプログラムをＣＰＵ１２によって実行処理することによって、コンテンツを再生する機能が実現される。
【００１９】
ＲＡＭ１４は、コンテンツ再生時の再生情報を記憶するコンテンツ情報部２６と、前記再生情報を除くその他の情報を記憶するその他記憶部２７とを備える。ＲＡＭ９は、演算部２２で演算した結果を一時的に記憶するワークメモリとして機能する。
【００２０】
出力部１５は、ＣＰＵ１２から入出力ポート１６を介して与えられる信号を出力する。出力部１５は、コンテンツ用スピーカを含み、前記入出力ポート１６から与えられる信号に応じた音を出力可能である。音楽データを含むコンテンツの再生時には、コンテンツ用スピーカが鳴動して、音が発生する。
【００２１】
入出力ポート１６は、入力部１１および出力部１５と、ＣＰＵ１２とを間に介在されて、入力部１１および出力部１５と、ＣＰＵ１２とで用いられる信号の変換を行う。
【００２２】
表示制御部１７は、表示ドライバによって実現され、ＣＰＵ１２からの制御信号に基づいて、メッセージ、コンテンツのリスト、およびコンテンツの再生時に表示されるべき情報、動画データを含むコンテンツなどを、表示部５に表示させる。
【００２３】
コンテンツ記憶部１８は、Ｆ−ＲＯＭ（Flash−ＲＯＭ）、ＥＥＰＲＯＭ（
Electrically Erasable Programmable ＲＯＭ）などの不揮発性記録媒体によって実現される。コンテンツ記憶部１８には、コンテンツが記憶されている。本実施の形態では、電子機器１がコンテンツ記憶部１８を備えているが、電子機器１は、コンテンツ記憶部１８を備える構成ではなく、入力部のメモリ装着部に着脱可能であってもよい。コンテンツ制御部２１は、コンテンツを再生するときに、コンテンツ記憶部１８に記憶されるコンテンツを読出し、圧縮された状態で記憶されている場合には、演算部２２によって伸張させた後、表示制御部１７に与える。これによって、コンテンツが再生される。ＣＰＵ１２と、ＲＯＭ１３と、出力部１５と、入出力ポート１６とを含んで、再生手段が構成される。コンテンツが動画データを含む場合には、再生手段は、さらに表示部５および表示制御部１７を含んで構成される。
【００２４】
図３は、コンテンツ情報部２６にコンテンツ再生時の再生情報を説明する図である。コンテンツ情報部２６には、コンテンツの番号に関する情報と、この番号に関する情報に対応させて、不要データとしてのカウント数を表す回数情報とが記憶されている。コンテンツの番号は、コンテンツに予め定められる番号である。回数情報は、そのコンテンツが部分的に再生された回数を表し、すなわち、そのコンテンツを再生するときにコンテンツの先頭から最後まで再生が行われなかった回数を表す。コンテンツ再生時の再生情報は、コンテンツ制御部２１によって更新して記憶される。ＣＰＵ１２、ＲＯＭ１３およびＲＡＭ１４を含んで回数記憶手段が構成される。またＣＰＵ１２と、ＲＯＭ１３とは、削除手段を構成する。
【００２５】
図４は、ＣＰＵ１２における動作処理を示すフローチャートである。キー群６を操作することによって再生モードに移行すると、ステップＳ０からステップＳ１に移り、処理を開始する。ステップＳ１では、ＲＯＭ１３のプログラム部２４から再生プレイヤのアプリケーションプログラムを読み出して実行処理し、再生プレイヤのアプリケーションを起動して、ステップＳ２に移る。再生プレイヤのアプリケーションが起動されると、コンテンツ制御部２１が表示制御部１７を制御して、コンテンツの名称を表すリストまたはコンテンツ再生画面を表示部５に表示させる。
【００２６】
ステップＳ２では、コンテンツの再生を開始させる指示が与えられたか否かを判断する。再生するコンテンツは、たとえば、表示部５に表示されているリストの名称のうち、カーソルを合わせた名称のコンテンツ、などのユーザが選択したコンテンツである。ステップＳ２で、開始の指示が与えられたと判断すると、ステップＳ３に移る。
【００２７】
ステップＳ３では、選択されたコンテンツの再生を開始して、ステップＳ４に移る。
ステップＳ４では、再生開始位置情報を読出して保持して、ステップＳ５に移る。コンテンツは、このコンテンツの再生を開始すべき位置を表す再生開始位置情報と、再生を終了すべき位置を表す再生終了位置情報とを含んでいる。ＣＰＵ１２は、ステップＳ３で再生を開始したコンテンツに対応させて、前記再生位置開始情報を、ＲＡＭ１４に一時的に記憶させる。
【００２８】
ステップＳ５では、コンテンツの再生を停止させる停止指示が与えられたか、およびコンテンツの再生が終了したか否かを判断する。コンテンツの再生を停止させる停止指示が与えられたと判断するか、またはコンテンツの再生が終了したと判断すると、ステップＳ６に移る。ステップＳ５は、コンテンツの再生を停止させる停止指示が与えられたと判断するか、またはコンテンツの再生が終了したと判断するまでは、所定の時間間隔で繰り返される。コンテンツの再生が終了か否かは、前述した再生を終了すべき位置を表す再生終了位置情報を読出したか否かで判断する。またコンテンツの再生を停止させる指示が与えられた場合には、コンテンツ制御部２１は、ステップＳ３で再生を開始したコンテンツに対応させて、停止させる指示が与えられたときの停止位置を表す停止位置情報を、ＲＡＭ１４に記憶させる。
【００２９】
ステップＳ６では、再生開始位置情報と、停止位置情報または再生終了位置情報とに基づいて、ステップＳ３で再生を開始したコンテンツについて、このコンテンツの先頭から最後まで再生したか否か、すなわちコンテンツが部分的に再生されたか否かを判断する。ここでは、ステップＳ３で再生を開始したコンテンツに対応させてＲＡＭ１４に停止位置情報が記憶されていれば、コンテンツの先頭から最後まで再生していないと判断する。ステップＳ６において、コンテンツの先頭から最後まで再生したと判断すると、ステップＳ７に移る。
【００３０】
ステップＳ７では、再生プレイヤを終了する指示が与えられたか否かを判断する。ステップＳ７で、再生プレイヤを終了する指示が与えられたと判断すると、ステップＳ８に移り、処理を終了し、再生プレイヤを終了する指示が与えられていない判断すると、ステップＳ２に移る。ステップＳ２で再生指示がないときには、ステップＳ７に移る。
【００３１】
前述したステップＳ６で、コンテンツの先頭から最後まで再生していないと判断すると、ステップＳ９に移る。
【００３２】
ステップＳ９では、ＲＡＭ１４内に保持しているコンテンツ情報部２６に記憶されているカウント数のうち、ステップＳ３で再生を開始したコンテンツに対応する回数情報が表すカウント数をインクリメントし、不要データとしてのカウントアップを行う。ステップＳ９が終了すると、ステップＳ１０に移る。
【００３３】
ステップＳ１０では、データ比較部２３が、ステップＳ９でカウントアップされたコンテンツに対応する回数情報が表すカウント数が、予め定める規定数を超えたか否かを判断する。ステップＳ１０で、予め定める規定数を超えたと判断すると、ステップＳ１１に移り、予め定める規定数を以下であると判断すると、ステップＳ７に移る。予め定める規定数に関する情報は、ＲＡＭ１４またはＲＯＭ１３に記憶されている。
【００３４】
ステップＳ１１では、コンテンツ制御部２１が、カウント数が、予め定める規定数を超えたコンテンツをコンテンツ記憶部１８から削除して、ステップＳ７に移る。
【００３５】
以上のように電子機器１では、コンテンツの先頭から最後まで再生されない、すなわちコンテンツが部分的にしか再生されないということは、そのコンテンツがユーザにとって必要とは言えないと考えられるので、回数情報は、ユーザがそのコンテンツを本当に必要としているかどうかをリアルに反映する指標となっている。コンテンツ制御部２１は、回数情報が表すカウント数が、予め定める規定数を超えたときに、この予め定める規定数を超えたコンテンツを削除する。これによって、従来の技術のような、コンテンツの保護設定、または抽出条件となるキーワードをユーザが予め条件を設定する手間を省き、該当コンテンツに対する実際の再生状況に基づいてコンテンツを削除可能であるので、ユーザが本当にそのコンテンツを必要としているかどうかをリアルに反映した上で、不要なコンテンツを削除することができ、限られた記憶容量のコンテンツ記憶部１８を有効に活用することができるとともに、利便性を向上させることができる。
【００３６】
図５は、本発明の実施の他の形態の電子機器におけるＣＰＵの動作処理を示すフローチャートである。本実施の形態の電子機器は、前述した図１に示す電子機器と同様の構成であり、ＣＰＵの動作処理のみが異なるので、同様の構成については、説明を省略し、異なる部分についてのみ説明する。ステップＡ０からステップＡ３までの各ステップは、図４のフローチャートのステップＳ０からステップＳ３までの各ステップにそれぞれ対応するので、説明を省略する。
【００３７】
ステップＡ３が終了すると、ステップＡ４に移る。ステップＡ４では、再生中に、送り切換指示、または戻し切換指示が与えられたかを判断する。ステップＡ４において、与えられていないと判断すると、ステップＡ５に移る。
【００３８】
ステップＡ５は、図４のフローチャートのステップＳ５にそれぞれ対応する。ステップＡ５において、コンテンツの再生を停止させる指示が与えられたと判断するか、またはコンテンツの再生が終了したと判断すると、ステップＡ６に移り、コンテンツの再生を停止させる指示が与えられておらず、かつコンテンツの再生が終了していないと判断すると、ステップＡ４に移る。ステップＡ６およびステップＡ７の各ステップは、図４のフローチャートのステップＳ７およびステップＳ８にそれぞれ対応するので、説明を省略する。
【００３９】
前述したステップＡ４において、ステップＡ４において、再生中に、送り切換指示、または戻し切換指示が与えられたと判断すると、ステップＡ８に移る。
【００４０】
ステップＡ８からステップＡ１０までの各ステップは、図４のフローチャートのステップＳ９からステップＳ１１にそれぞれ対応するので、説明を省略する。ただし、ステップＡ９において、ステップＡ８でカウントアップされたコンテンツに対応する回数情報が表すカウント数が、予め定める規定数を以下であると判断すると、ステップＡ１１に移る。
【００４１】
ステップＡ１１では、コンテンツ制御部２１が、送り切換指示および戻し切換指示のいずれの指示が与えられたのかを判断し、この指示に対応したコンテンツを選択して、ステップＡ２に移る。
【００４２】
以上のような電子機器においても、前述した実施の形態の電子機器１と同様の効果を達成することができる。
【００４３】
図６は、本発明の実施の他の形態の電子機器におけるＣＰＵの動作処理を示すフローチャートである。本実施の形態の電子機器は、前述した図１に示す電子機器と同様の構成であり、ＣＰＵの動作処理のみが異なるので、同様の構成については、説明を省略し、異なる部分についてのみ説明する。ステップＢ０からステップＢ３までの各ステップは、図４のフローチャートのステップＢ０からステップＢ３までの各ステップにそれぞれ対応するので、説明を省略する。
【００４４】
ステップＢ４では、コンテンツ制御部２１が、再生区間に関する情報をＲＡＭ１４に記憶させて、保持し、ステップＢ５に移る。再生区間に関する情報は、たとえば開始位置情報が示す開始位置からの時間的な位置を表し、ステップＢ４では再生された部分の、開始位置情報が示す開始位置からの時間的な位置を表す情報をＲＡＭ１４に記憶する。
【００４５】
ステップＢ５では、再生中のコンテンツを早送り再生させる早送り再生指示、または再生中のコンテンツを巻き戻し再生させる巻き戻し再生指示が与えられたか否かを判断する。ステップＢ５において、早送り再生指示または巻き戻し再生指示が与えられた判断すると、ステップＢ６に移り、早送り再生指示および巻き戻し再生指示のいずれも与えられていないと判断すると、ステップＢ７に移る。
【００４６】
ステップＢ６では、早送り再生指示が与えられた場合には早送り再生し、巻き戻し再生指示が与えられた場合には巻き戻し再生し、早送り再生または巻き戻し再生が行われた区間について、再生区間に含まないように、再生区間に関する情報をＲＡＭ１４に記憶して、ステップＢ７に移る。
【００４７】
ステップＢ７では、図４のステップＳ５と同様に、コンテンツの再生を停止させる停止指示が与えられたか、およびコンテンツの再生が終了したか否かを判断する。コンテンツの再生を停止させる停止指示が与えられたと判断するか、またはコンテンツの再生が終了したと判断すると、ステップＢ８に移り、コンテンツの再生を停止させる停止指示が与えられておらず、かつコンテンツの再生が終了してないと判断すると、再生を継続して、ステップＢ４に移る。
【００４８】
ステップＢ８では、ＲＡＭ１４に記憶される再生区間に関する情報に基づいて、ステップＢ４で再生を開始したコンテンツについて、このコンテンツの先頭から最後まで再生したか否か、すなわちコンテンツが部分的に再生されたか否かを判断する。ここでは、開始位置情報が表す開始位置から、再生終了位置情報が表す再生終了位置までの区間が、ＲＡＭ１４に記憶されている再生区間と一致するか否かを判断することによって、一致していれば、コンテンツの先頭から最後まで再生したと判断し、ステップＢ９に移る。
【００４９】
ステップＢ９およびステップＢ１０の各ステップは、図４のフローチャートのステップＳ７およびステップＳ８にそれぞれ対応するので、説明を省略する。
【００５０】
前述したステップＢ８において、ステップＢ３で再生が開始されたコンテンツについて、このコンテンツの先頭から最後までは再生と判断すると、ステップＢ１１に移る。ステップＢ１１からステップＢ１３までの各ステップは、図４のフローチャートのステップＳ９からステップＳ１１にそれぞれ対応するので、説明を省略する。
【００５１】
以上のような電子機器においても、前述した実施の形態の電子機器１と同様の効果を達成することができる。
【００５２】
前述した各実施の形態では、データ比較部２３が、たとえば図４のステップＳ１０、図５のステップＡ９および図６のステップＢ１２において、カウントアップされたコンテンツに対応する回数情報が表すカウント数が、予め定める規定数を超えたか否かを判断すると、図４のステップＳ１１、図５のステップＡ１０および図６のステップＢ１３において、コンテンツ制御部２１は、カウント数が、予め定める規定数を超えたコンテンツをコンテンツ記憶部１８から削除する構成となっており、ユーザが全く知らない間にコンテンツが消去されてしまう。このため、本発明の他の実施の形態では、不要データと選別したコンテンツの削除を自動に行うのではなく、ユーザに不要データと選別したコンテンツに関する情報を、表示部５に表示させ、ユーザの確認および削除指示に応じて、コンテンツを消去する構成としてもよい。
【００５３】
図７は、コンテンツを削除するための削除指示を入力するための削除画面５１を示す。本実施の形態のＣＰＵの動作処理は、前述した実施の形態において、たとえば図４のフローチャートでは、ステップＳ１０、ステップＳ１１を除く処理を行い、図５のフローチャートでは、ステップＡ９、ステップＡ１０を除く処理を行い、図６のフローチャートでは、ステップＢ１２、ステップＢ１３を除く処理を行う。
【００５４】
ＣＰＵ１２のデータ比較部２３は、予め定める期間が経過するごとに、コンテンツに対応する回数情報が表すカウント数と、予め定める規定数とを比較し、比較した結果、予め定める規定数を超えるカウント数となっている回数情報に対応するコンテンツを検索し、コンテンツ制御部２１が、予め定める規定数を超えるカウント数となっている回数情報に対応するコンテンツを表す情報を、図８に示すように、削除を促す情報とともに、削除画面５１として表示部５に表示する。削除画面５１に表示されている表示ボタンは、十字キーなどによって選択可能となっている。画面上のボタンを選択した後、確定キーによって指示を確定することによって、装置が不要データであると選別したコンテンツを削除したり、削除しなかったり、あるいはその一部のみを削除したりすることができる。本実施の形態では、表示部５、表示制御部１７、ＣＰＵ１２、ＲＯＭ１３、ＲＡＭ１４、入力部１１および入出力ポート１６を含んで削除手段が構成され、入力部１１、入出力ポート１６、ＣＰＵ１２およびＲＯＭ１３を含んで選択部が構成される。
【００５５】
このような構成とすることによって、部分的にしか再生しないコンテンツであっても、削除するのか否かを選択することができる。またユーザにコンテンツの削除を促し、ユーザは確認を行った上で、簡易な操作で不要データの削除を実行することができる。
【００５６】
本発明のさらに他の実施の形態では、前述の図４、図５または図６に示す実施の形態と、図８に示す実施の形態とを、切換スイッチによって切換可能な構成としてもよい。これによって、ユーザが望む削除方法を選択することができ、さらに利便性を向上させることができる。
【００５７】
前述した各実施の形態では、予め定める規定数は一定であるが、本発明のさらに他の実施の形態では、前述した各実施の形態において、予め定める規定数を設定可能な設定手段を備える構成としてもよい。図８は、予め定める規定数を設定する設定画面６１を示す図である。設定画面６１には、予め定める規定数を入力する欄が表示され、ユーザは、文字入力キー群８を操作することによって、予め定める規定数をいくつにするのかを設定することができる。設定画面６１は、キー群６を操作して、設定モードに移行する指示が与えられたときに、コンテンツ制御部２１によって表示部５に表示される。ユーザは、キー群６を操作して、ユーザが所望の規定数を入力した後、確定キーによって指示を確定することによって、ユーザが所望の規定数を表す情報がＲＡＭ１４に記憶され、この情報に基づいてＣＰＵ４がコンテンツを削除するか否か、あるは、削除画面を表示するか否かを判定する。このような構成とすることによって、よりユーザの利便性を高め、ユーザの要求にあった条件で不要データの自動選別を行うことができる。本実施の形態では、キー群６、表示部５、表示制御部１７、ＣＰＵ１２、ＲＯＭ１３およびＲＡＭ１４を含んで設定手段が構成されている。
【００５８】
本発明のさらに他の実施の形態では、前述した各実施の形態を組み合わせて、電子機器を構成してもよい。すなわち、コンテンツの再生中に与えられる停止指示と、再生中に与えられる、送り切換指示または戻し切換指示と、ＲＡＭ１４に記憶される再生区間に関する情報とのそれぞれに基づいて、回数情報が表すカウント数をカウントアップしてもよく、この場合には、コンテンツを削除するか否かを多角的に判断することができ、さらに利便性を向上させることができる。
【図面の簡単な説明】
【００５９】
【図１】本発明の実施の一形態の電子機器１の正面図である。
【図２】電子機器１の構成を示すブロック図である。
【図３】コンテンツ情報部２６にコンテンツ再生時の再生情報を説明する図である。
【図４】ＣＰＵ１２における動作処理を示すフローチャートである。
【図５】本発明の実施の他の形態の電子機器におけるＣＰＵの動作処理を示すフローチャートである。
【図６】本発明の実施の他の形態の電子機器におけるＣＰＵの動作処理を示すフローチャートである。
【図７】コンテンツを削除するための削除指示を入力するための削除画面５１を示す図である。
【図８】予め定める規定数を設定する設定画面６１を示す図である。
【符号の説明】
【００６０】
１  電子機器
５  表示部
６  キー群
９  ＲＡＭ
１１  入力部
１２  ＣＰＵ
１３  ＲＯＭ
１４  ＲＡＭ
１５  出力部
１６  入出力ポート
１７  表示制御部
１８  コンテンツ記憶部
２１  コンテンツ制御部
２２  演算部
２３  データ比較部
２４  プログラム部
２５  データ部
２６  コンテンツ情報部
５１  削除画面
６１  設定画面
【図１】
2009290376.tif 000003
【図２】
2009290376.tif 000004
【図３】
2009290376.tif 000005
【図４】
2009290376.tif 000006
【図５】
2009290376.tif 000007
【図６】
2009290376.tif 000008
【図７】
2009290376.tif 000009
【図８】
2009290376.tif 000010